(57)【要約】【課題】医用画像の読影作業におけるマウス操作負担を低減する。【解決手段】表示部２４は、医用画像とサムネイル画像とを含む読影表示画面２４１を表示し、マウス２５ａによって読影表示画面２４１に表示された医用画像又はサムネイル画像が選択されると、読影表示画面２４１に重畳させて配置先イメージボックス２４４が表示される。配置先イメージボックス２４４に対して画面構成の変更指示がマウス２５ａから入力されると、この入力に基づいて読影表示画面２４１の画面構成が変更されて表示部２４に表示される。【選択図】図５
2010200936.tif 000002
【特許請求の範囲】
【請求項１】
医用画像とサムネイル画像とを含む読影表示画面を表示する表示手段と、
マウスと、
前記マウスによって前記表示手段に表示された医用画像又はサムネイル画像が選択されると、前記読影表示画面に重畳させて配置先イメージボックスを前記表示手段に表示させ、当該配置先イメージボックスに対して前記読影表示画面の画面構成の変更指示が前記マウスから入力されると、当該入力された変更指示に基づいて前記読影表示画面の画面構成を変更させて前記表示手段に表示させる制御手段と、
を備える医用画像表示装置。
【請求項２】
前記配置先イメージボックスの画面構成は、前記読影表示画面の画面構成と対応し、
前記制御手段は、前記表示手段に表示された配置先イメージボックスの所定の位置が前記マウスによって指定されると、当該指定された位置に対応する前記読影表示画面の位置に前記マウスによって選択された医用画像又はサムネイル画像に対応する医用画像を表示させる請求項１に記載の医用画像表示装置。
【請求項３】
前記制御手段は、前記マウスによって選択された医用画像又はサムネイル画像に対応する医用画像を前記指定された位置に対応する前記読影表示画面の位置に挿入させて表示させる請求項２に記載の医用画像表示装置。
【請求項４】
前記制御手段は、前記マウスによって選択された医用画像又はサムネイル画像に対応する医用画像を前記指定された位置に対応する前記読影表示画面の位置に上書きさせて表示させる請求項２に記載の医用画像表示装置。
【請求項５】
前記制御手段は、前記マウスによって医用画像が選択された場合、当該選択された医用画像を前記指定された位置に対応する前記読影表示画面の位置に移動させて表示させる請求項２〜４のいずれか一項に記載の医用画像表示装置。
【請求項６】
前記制御手段は、前記マウスによって医用画像が選択された場合、当該選択された医用画像と同一の医用画像を前記指定された位置に対応する前記読影表示画面の位置に表示させる請求項２〜４のいずれか一項に記載の医用画像表示装置。
【請求項７】
前記制御手段は、前記表示手段に表示された配置先イメージボックスに対して前記読影表示画面のレイアウト変更の指示が前記マウスから入力されると、当該指示に基づいて前記読影表示画面のレイアウトを変更させる請求項１〜６のいずれか一項に記載の医用画像表示装置。
【請求項８】
医用画像とサムネイル画像とを含む読影表示画面を表示する表示手段と、マウスと、を備える医用画像表示装置の医用画像を表示する方法であって、
前記医用画像表示装置によって、前記マウスによって前記表示手段に表示された医用画像又はサムネイル画像が選択されると、前記読影表示画面に重畳させて配置先イメージボックスを前記表示手段に表示させ、当該配置先イメージボックスに対して前記読影表示画面の画面構成の変更指示が前記マウスから入力されると、当該入力された変更指示に基づいて前記読影表示画面の画面構成を変更させて前記表示手段に表示させる工程を有する医用画像表示方法。
【請求項９】
マウスを備えたコンピュータを、
医用画像とサムネイル画像とを含む読影表示画面を表示する表示手段、
前記マウスによって前記表示手段に表示された医用画像又はサムネイル画像が選択されると、前記読影表示画面に重畳させて配置先イメージボックスを前記表示手段に表示させ、当該配置先イメージボックスに対して前記読影表示画面の画面構成の変更指示が前記マウスから入力されると、当該入力された変更指示に基づいて前記読影表示画面の画面構成を変更させて前記表示手段に表示させる制御手段、
として機能させるプログラム。
【発明の詳細な説明】
【技術分野】
【０００１】
本発明は、医用画像表示装置、医用画像表示方法、及びプログラムに関するものである。
【背景技術】
【０００２】
従来、医療の分野においては、患者を撮影することにより得られた医用画像のデジタル化が実現されている。医用画像は、ＣＲ（Computed Radiography）装置、ＣＴ（Computed Tomography）装置、ＭＲＩ（Magnetic Resonance Imaging）装置等の画像形成装置、カセッテ読取装置等の各種モダリティによってデジタル化される。
【０００３】
デジタル化された医用画像とともに、ＤＩＣＯＭ（Digital Imaging and COmmunication In Medicine）規格に適合するＤＩＣＯＭ基本情報が管理サーバに記憶される。管理サーバに記憶された医用画像は、医用画像管理システム（以下、ＰＡＣＳ：Picture Archiving and Communication System for medical application）の管理下におかれる。ＰＡＣＳにおいて、医用画像に対応付けられている患者情報や検査情報等は、病院情報システム（以下、ＨＩＳ：Hospital Information System）や放射線情報システム（以下、ＲＩＳ：Radiology Information System）から受信する各種情報を使用することもできる。
【０００４】
読影医は、診察室等に設置された高精細のモニタに医用画像を表示させる。特に、デジタルマンモグラフィに関する医用画像においては、患部の細部に対して読影を行うために大型モニタが用いられる。これらのモニタに医用画像を表示させる際のマウス操作性を向上させる方法が種々考案されている。
【０００５】
特許文献１には、カーソルを移動させるポインティングデバイスを有する医用画像読影装置において、カーソルの初期動作に応じて移動先を検索し、対応する移動先にカーソルを移動させる技術が開示されている。
【先行技術文献】
【特許文献】
【０００６】
【特許文献１】特開２００７−２７５５５８号公報
【発明の概要】
【発明が解決しようとする課題】
【０００７】
しかしながら、特許文献１の技術のように、カーソルの初期動作に応じてカーソル移動をさせた場合には、マウスの移動量を削減することはできるが、予め定められた操作補助を行うことしかできない。例えば、マウスによってドラッグアンドドロップを行ってモニタに表示すべき医用画像の位置を決定させる場合等においては、読影医は任意の位置に医用画像を配置することは困難である。通常のマウス操作の場合では、大型モニタに対応する領域の一端から他端までドラッグアンドドロップのマウス操作が必要となる。
【０００８】
また、互いに関連する断層画像（以下、シリーズ画像という。）の数が多い場合には、モニタに表示すべき医用画像の数も多くなるため、表示レイアウトの変更操作を行うことが多い。レイアウト変更指示をするためには、メニューバーに対する入力操作が必要となり、操作数が増えることで読影医への負担を生じることとなる。
【０００９】
本発明は上記課題に鑑みてされたものであり、その目的とするところは、医用画像の読影作業におけるマウス操作負担を低減させることである。
【課題を解決するための手段】
【００１０】
上記課題を解決するために、請求項１に記載の発明は、
医用画像とサムネイル画像とを含む読影表示画面を表示する表示手段と、
マウスと、
前記マウスによって前記表示手段に表示された医用画像又はサムネイル画像が選択されると、前記読影表示画面に重畳させて配置先イメージボックスを前記表示手段に表示させ、当該配置先イメージボックスに対して前記読影表示画面の画面構成の変更指示が前記マウスから入力されると、当該入力された変更指示に基づいて前記読影表示画面の画面構成を変更させて前記表示手段に表示させる制御手段と、
を備える。
【００１１】
請求項２に記載の発明は、請求項１に記載の発明において、
前記配置先イメージボックスの画面構成は、前記読影表示画面の画面構成と対応し、
前記制御手段は、前記表示手段に表示された配置先イメージボックスの所定の位置が前記マウスによって指定されると、当該指定された位置に対応する前記読影表示画面の位置に前記マウスによって選択された医用画像又はサムネイル画像に対応する医用画像を表示させる。
【００１２】
請求項３に記載の発明は、請求項２に記載の発明において、
前記制御手段は、前記マウスによって選択された医用画像又はサムネイル画像に対応する医用画像を前記指定された位置に対応する前記読影表示画面の位置に挿入させて表示させる。
【００１３】
請求項４に記載の発明は、請求項２に記載の発明において、
前記制御手段は、前記マウスによって選択された医用画像又はサムネイル画像に対応する医用画像を前記指定された位置に対応する前記読影表示画面の位置に上書きさせて表示させる。
【００１４】
請求項５に記載の発明は、請求項２〜４のいずれか一項に記載の発明において、
前記制御手段は、前記マウスによって医用画像が選択された場合、当該選択された医用画像を前記指定された位置に対応する前記読影表示画面の位置に移動させて表示させる。
【００１５】
請求項６に記載の発明は、請求項２〜４のいずれか一項に記載の発明において、
前記制御手段は、前記マウスによって医用画像が選択された場合、当該選択された医用画像と同一の医用画像を前記指定された位置に対応する前記読影表示画面の位置に表示させる。
【００１６】
請求項７に記載の発明は、請求項１〜６のいずれか一項に記載の発明において、
前記制御手段は、前記表示手段に表示された配置先イメージボックスに対して前記読影表示画面のレイアウト変更の指示が前記マウスから入力されると、当該指示に基づいて前記読影表示画面のレイアウトを変更させる。
【００１７】
請求項８に記載の発明は、
医用画像とサムネイル画像とを含む読影表示画面を表示する表示手段と、マウスと、を備える医用画像表示装置の医用画像を表示する方法であって、
前記医用画像表示装置によって、前記マウスによって前記表示手段に表示された医用画像又はサムネイル画像が選択されると、前記読影表示画面に重畳させて配置先イメージボックスを前記表示手段に表示させ、当該配置先イメージボックスに対して前記読影表示画面の画面構成の変更指示が前記マウスから入力されると、当該入力された変更指示に基づいて前記読影表示画面の画面構成を変更させて前記表示手段に表示させる工程を有する。
【００１８】
請求項９に記載の発明は、
マウスを備えたコンピュータを、
医用画像とサムネイル画像とを含む読影表示画面を表示する表示手段、
前記マウスによって前記表示手段に表示された医用画像又はサムネイル画像が選択されると、前記読影表示画面に重畳させて配置先イメージボックスを前記表示手段に表示させ、当該配置先イメージボックスに対して前記読影表示画面の画面構成の変更指示が前記マウスから入力されると、当該入力された変更指示に基づいて前記読影表示画面の画面構成を変更させて前記表示手段に表示させる制御手段、
として機能させる。
【発明の効果】
【００１９】
本発明によれば、医用画像の読影作業におけるマウスの移動量を削減し、操作負担を低減させることができる。
【図面の簡単な説明】
【００２０】
【図１】本実施の形態における医用画像システムの全体構成例を示す図である。
【図２】図１の医用画像表示装置の機能的構成を示す要部ブロック図である。
【図３】図２の表示部に表示される読影表示画面の一例を示す図である。
【図４】図２の制御部によって実行される配置先イメージボックス表示処理のフローチャートである。
【図５】図２の表示部に表示される読影表示画面の一例を示す図である。
【図６】図２の制御部によって実行される選択先画像表示処理のフローチャートである。
【図７】図２の表示部に表示される読影表示画面の一例を示す図である。
【図８】図２の表示部に表示される読影表示画面の一例を示す図である。
【図９】図２の制御部によって実行されるレイアウト変更処理のフローチャートである。
【図１０】図２の表示部に表示される読影表示画面の一例を示す図である。
【発明を実施するための形態】
【００２１】
以下、図面を参照して本発明の実施の形態について説明する。
【００２２】
図１に、医用画像システム１の構成を示す。図１に示すように、医用画像システム１は、サーバ１０と、本実施の形態に係る医用画像表示装置２０から構成される。サーバ１０と医用画像表示装置２０とはネットワークＮを介して互いにデータ送受信可能に接続される。その通信方式としては、医用画像の通信方式として一般的に用いられるＤＩＣＯＭが挙げられる。
【００２３】
サーバ１０は、各種モダリティ（図示せず）で撮影された医用画像や、この医用画像に対応するサムネイル画像、レポート等を記憶する。サーバ１０は、医用画像表示装置２０からの要求に応じて、医用画像やサムネイル画像等を医用画像表示装置２０に対して送信する。
【００２４】
医用画像には、この医用画像を識別するためのＵＩＤが付され、ＵＩＤとサムネイル画像が対応付けられてサーバ１０に記憶されている。医用画像とサムネイル画像には、それぞれが医用画像であるかサムネイル画像であるかを示す画像種別情報が付帯されている。
【００２５】
医用画像表示装置２０は、サーバ１０から医用画像やサムネイル画像を取得して表示する。また、医用画像表示装置２０は、医師の操作に応じて電子カルテやレポートを作成し、サーバ１０に対して送信する。
【００２６】
図２に、医用画像表示装置２０の機能的構成を示す。
図２に示すように、医用画像表示装置２０は、制御部２１、ＲＡＭ２２、記憶部２３、表示部２４、操作部２５、通信部２６、Ｉ／Ｆ部２７、ＣＤ／ＤＶＤドライブ２８を備えている。
【００２７】
制御部２１は、ＣＰＵ（Central Processing Unit）等から構成される。制御部２１は、記憶部２３に記憶されたプログラムとの協働により、各種演算を行い、医用画像表示装置２０を構成する各部の動作を制御する。
【００２８】
ＲＡＭ２２は、制御部２１により実行制御される各種処理において、記憶部２３から読み出された各種プログラム、入力若しくは出力データ、及びパラメータ等の一時的に記憶するワークエリアとして機能する。
【００２９】
記憶部２３は、例えばハードディスクから構成され、各種プログラムの他、制御部２１が行う処理に必要なパラメータやファイル等を記憶している。また、記憶部２３は、後述する読影表示画面２４１の構成情報、レイアウト情報を記憶する。
【００３０】
表示部２４は、一又は複数のディスプレイから構成される。表示部２４は、制御部２１の制御に従って、読影用の医用画像を表示するための読影表示画面２４１等を表示する。
【００３１】
図３に、表示部２４に表示される読影表示画面２４１の一例を示す。図３に示すように、読影表示画面２４１は、モダリティ（図示せず）によって撮影された医用画像のサムネイル画像を表示するためのサムネイル画像表示欄２４２ａと２４２ｂ（以下、この２つをまとめて単にサムネイル画像表示欄という。）、サムネイル画像に対応する医用画像を表示するための画像表示欄２４３ａと２４３ｂ（以下、この２つをまとめて単に画像表示欄という。）等から構成される。
【００３２】
読影表示画面２４１は、記憶部２３に記憶された構成情報、レイアウト情報、及びＲＡＭ２２に記憶された画像表示位置情報に基づいて画面構成が決定されて表示される。構成情報とは、読影表示画面２４１に表示すべきサムネイル画像表示欄と画像表示欄のそれぞれの数と表示位置を識別するための情報である。図３に示す例では、構成情報は、サムネイル画像表示欄と画像表示欄を、それぞれ横に並列して２つ配置することを示している。
【００３３】
レイアウト情報とは、画像表示欄に表示する医用画像の配置に関する情報であり、例えば、３×３（縦に３列、横に３列を示す。）のコマ割り表示や４×４（縦に４列、横に４列を示す。）のコマ割り表示等を示す情報である。以下においては、画像表示欄を構成する、医用画像を表示する領域の各々をコマという。図３の画像表示欄２４３ａと２４３ｂのように、３×３の場合には、それぞれ９つのコマがある。
【００３４】
読影表示画面２４１に表示すべき画像表示欄が複数ある場合には、この複数の画像表示欄のそれぞれについてレイアウト情報が対応付けられて記憶部２３に記憶されている。
記憶部２３に記憶された構成情報とレイアウト情報は、設定画面（特に図示せず）からの操作部２５を介したユーザ入力により、値が変更可能である。
【００３５】
また、表示部２４が複数のディスプレイによって構成される場合には、複数のサムネイル画像表示欄と画像表示欄をそれぞれ異なるディスプレイに表示させるようにしてもよい。例えば、図３に示す例では、サムネイル画像表示欄２４２ａと画像表示欄２４３ａをあるディスプレイに表示させ、サムネイル画像表示欄２４３ｂと画像表示欄２４３ｂを、これとは異なるディスプレイに表示させるようにしてもよい。
【００３６】
サムネイル画像表示欄に表示されたサムネイル画像を、マウス２５ａの操作により画像表示欄へドラッグアンドドロップすると、サムネイル画像に対応する医用画像が画像表示欄に表示される。つまり、マウス２５ａをボタンダウンした位置にあるサムネイル画像に対応する医用画像が、マウス２５ａをボタンアップした位置に対応する画像表示欄のコマに表示される。
同様に、画像表示欄に表示された医用画像を、別のコマへドラッグアンドドロップすると、このコマに医用画像を移動させて表示させることができる。
【００３７】
画像表示欄に表示する医用画像の位置を示す情報は、ＲＡＭ２２に画像表示位置情報として記憶される。画像表示位置情報としては、例えば、医用画像を一意に識別するＵＩＤと画像表示欄の表示順が対応付けられて、画像表示位置情報として記憶される。画像表示欄が複数ある場合には、これらの画像表示欄のそれぞれに画像表示位置情報がある。
【００３８】
また、画像表示欄に表示すべき医用画像のレイアウトは、後述するレイアウト変更処理が実行されて、レイアウト情報が変更されることにより変更することができる。なお、画像表示欄のレイアウトは、レイアウト変更処理が実行されなくても、図示しないメニューバー等に対する操作部２５からの入力等によって適宜変更可能である。
【００３９】
操作部２５は、マウス２５ａやキーボードを備え、これらの操作に応じた操作信号を生成して制御部２１に出力する。なお、操作部２５は表示部２４のディスプレイと一体となったタッチパネルであってもよい。
【００４０】
通信部２６は、通信用のインターフェイスを備え、制御部２１の通信制御に従ってサーバ１０等のネットワークＮに接続された外部機器との通信を行う。例えば、通信部２６はサーバ１０に医用画像の要求情報を送信し、サーバ１０から医用画像を受信する。
【００４１】
Ｉ／Ｆ部２７は、ＣＤ／ＤＶＤドライブ２８に接続され、ＣＤ／ＤＶＤドライブ２８と相互にデータの送受信を行う。
【００４２】
ＣＤ／ＤＶＤドライブ２８は、メディアＭに対してデータの読み書きを行う。メディアＭはＣＤやＤＶＤである。例えば、ＣＤ／ＤＶＤドライブ２８はメディアＭに記録された過去の医用画像やサムネイル画像を読み出して、読影表示画面２４１に表示させることもできる。
【００４３】
次に動作について説明する。
図４に、制御部２１に対して画像選択指示が入力された際に実行される配置先イメージボックス表示処理のフローチャートを示す。画像選択指示とは、表示部２４に表示された読影表示画面２４１のサムネイル画像表示欄に表示されたサムネイル画像又は画像表示欄に表示された医用画像に、マウスポインタを合わせ、マウス２５ａを右クリックする等である。なお、画像選択指示は予め定められたマウス２５ａの動作であればよく、右クリックに限られず、ダブルクリック等であってもよい。
配置先イメージボックス表示処理は、制御部２１と記憶部２３に記憶されたプログラムとの協働により実行される。
【００４４】
まず、図４に示すように、記憶部２３に記憶された構成情報が取得される（ステップＳ１１）。同様に、記憶部２３に記憶されたレイアウト情報が取得される（ステップＳ１２）。ステップＳ１１及びステップＳ１２において取得された構成情報とレイアウト情報とに基づいて、配置先イメージボックス（図５参照）が生成される（ステップＳ１３）。
【００４５】
ＲＡＭ２２に記憶された画像表示位置情報が取得され（ステップＳ１４）、画像表示欄に表示中の医用画像があるか否かが判断される（ステップＳ１５）。
表示中の医用画像があると判断された場合（ステップＳ１５；ＹＥＳ）、配置先イメージボックスに画像表示位置情報を反映させる（ステップＳ１６）。具体的には、医用画像が表示されているコマに対応する配置先イメージボックスのコマを網掛け表示させる等である。
【００４６】
表示中の医用画像があると判断されない場合（ステップＳ１５；ＮＯ）、配置先イメージボックスが画像選択指示によって選択された画像に対応する位置に表示され（ステップＳ１７）、処理は終了する。
【００４７】
図５に、ステップＳ１７において表示される読影表示画面２４１の一例を示す。図５に示すように、ステップＳ１７においては、構成情報とレイアウト情報に基づいて、読影表示画面２４１と同様の画面構成の配置先イメージボックス２４４が作成されて読影表示画面２４１に重畳して表示される。配置先イメージボックス２４４のコマは、読影表示画面２４１のコマと対応しており、画像表示位置情報に基づいて、画像表示欄に表示された医用画像のコマに対応するコマが網掛けとなって表示される。
なお、図５に示す例では、画像表示位置情報に基づいて配置先イメージボックス２４４が網掛けで表示されるようにしたが、画像表示欄に表示された医用画像に対応するコマが配置先イメージボックス２４４において示されればよく、これに限られない。
【００４８】
図６に、表示部２４に表示された配置先イメージボックス２４４上にマウスカーソルが移動した際に実行される選択先画像表示処理のフローチャートを示す。
選択先画像表示処理は、制御部２１と記憶部２３に記憶されたプログラムとの協働により実行される。
【００４９】
まず、図６に示すように、表示部２４に表示されたマウスカーソルが配置先イメージボックス２４４のどこにあるかが判断される（ステップＳ２１）。
配置先イメージボックス２４４のコマの上に合っていると判断された場合（ステップＳ２１；コマの上）、マウス２５ａからの入力により、配置先イメージボックス２４４のコマが指定（クリック等）されたか否かが判断される（ステップＳ２２）。
【００５０】
コマが指定されたと判断されない場合（ステップＳ２２；ＮＯ）、元画像の種別が取得される（ステップＳ２３）。元画像の種別とは、配置先イメージボックス表示処理が実行される際に画像選択指示が入力された画像（医用画像又はサムネイル画像）に対応する画像種別である。
【００５１】
次いで、ステップＳ２３において取得された元画像の種別が判断される（ステップＳ２４）。種別が医用画像であると判断された場合（ステップＳ２４;医用画像）、画像配置後の元画像の挙動設定が取得される（ステップＳ２５）。挙動設定とは、画像選択指示が入力された医用画像の画像表示欄での表示コマ位置を移動させるか、所定の位置に同じ医用画像をコピーさせるか（つまり、同一の医用画像を表示させるか）を示す情報であり、記憶部２３に値が記憶されている。
【００５２】
挙動設定が移動であった場合（ステップＳ２６；移動）、画像表示欄に表示中の元画像が削除（非表示）される（ステップＳ２７）。
一方、種別がサムネイル画像であると判断された場合（ステップＳ２４；サムネイル画像）、挙動設定がコピーであった場合（ステップＳ２６；コピー）、画像の配置方法設定が取得される（ステップＳ２８）。画像の配置方法設定とは、画像選択指示が入力された医用画像を移動先のコマの医用画像間に挿入させるか、移動先のコマの医用画像に上書きさせるかを示す値であり、記憶部２３に記憶されている。
【００５３】
画像の配置方法設定が挿入であると判断された場合（ステップＳ２９；挿入）、選択されたコマの位置に画像選択指示が入力された医用画像を挿入するようにＲＡＭ２２に記憶された画像表示位置情報が更新され、画像表示欄に表示中の医用画像が、選択されたコマから順番にずらされて表示される（ステップＳ３０）。
【００５４】
医用画像の配置方法設定が上書きであると判断された場合（ステップＳ２９；上書き）、選択されたコマの位置に画像選択指示が入力された医用画像が上書きされるようにＲＡＭ２２に記憶された画像表示位置情報が更新され、選択先のコマに画像選択指示が入力された医用画像が表示される（ステップＳ３１）。
【００５５】
図７に、ステップＳ２６において挙動設定が移動であると判断された場合に、ステップＳ３１において表示される読影表示画面２４１の一例を示す。図７に示すように、画像選択指示が入力された画像（画像表示欄２４３ａの左上のコマに表示された医用画像）が、選択されたコマ（画像表示欄２４３ｂの右下のコマ）に移動されて表示される。
【００５６】
図８に、ステップＳ２６において挙動設定がコピーであると判断された場合に、ステップＳ３１において表示される読影表示画面２４１の一例を示す。図８に示すように、画像選択指示が入力された画像（画像表示欄２４３ａの左上のコマに表示された医用画像）が、選択されたコマ（画像表示欄２４３ｂの右下のコマ）にコピーされて表示される。
【００５７】
一方、配置先イメージボックスの端部に合っていると判断された場合（ステップＳ２１；配置先イメージボックスの端部）、レイアウト変更処理が実行され（ステップＳ３２）、処理はステップＳ２１に戻り、表示部２４に表示されたマウスカーソルが配置先イメージボックス２４４のどこにあるかが判断される。
【００５８】
図９に、ステップＳ３２において実行されるレイアウト変更処理のフローチャートを示す。図９に示すように、まず、配置先イメージボックス２４４の端部がマウス２５ａによって選択された（クリック等）か否かが判断される（ステップＳ３２１）。端部が選択されたと判断された場合（ステップＳ３２１；ＹＥＳ）、選択された端部の位置が判別される（ステップＳ３２２）。
【００５９】
端部の位置が配置先イメージボックス２４４の右端であると判断された場合（ステップＳ３２２；右端）、マウス２５ａの挙動に応じて配置先イメージボックスに列が追加／削除される（ステップＳ３２３）。例えば、マウス２５ａによって配置先イメージボックス２４４の右端がクリックされて、マウス２５ａが右に移動した場合には列が追加され、左に移動した場合には列が削除される。
【００６０】
端の場所が配置先イメージボックス２４４の下端であると判断された場合（ステップＳ３２２；下端）、マウス２５ａの挙動に応じて配置先イメージボックスに列が追加／削除される（ステップＳ３２４）。例えば、マウス２５ａによって配置先イメージボックス２４４の下端がクリックされて、マウス２５ａが下に移動した場合には行が追加され、上に移動した場合には行が削除される。
【００６１】
端の場所が配置先イメージボックス２４４の右下端であると判断された場合（ステップＳ３２２；右下端）、マウス２５ａの挙動に応じて配置先イメージボックスに行と列が追加／削除される（ステップＳ３２５）。例えば、マウス２５ａによって配置先イメージボックス２４４の右下端がクリックされて、マウス２５ａが右下に移動した場合には行と列が追加され、左上に移動した場合には行と列が削除される。
【００６２】
ステップＳ３２３〜Ｓ３２５によって配置先イメージボックス２４４のレイアウトが変更される（ステップＳ３２６）。ＲＡＭ２２に記憶された画像表示位置情報に基づいて、レイアウト変更後の医用画像の画像表示欄における表示位置が判別される（ステップＳ３２７）。
【００６３】
ステップＳ３２７において判別された表示位置に基づいて、配置先イメージボックス２４４に画像表示位置が反映される（ステップＳ３２８）。具体的には、変更された画像表示位置に基づいて、配置先イメージボックス２４４の網掛け表示が変更されることにより、画像表示位置が反映される。
【００６４】
ＲＡＭ２２に記憶された変更対象の画像表示欄のレイアウト情報がステップＳ３２６のレイアウトと同様のレイアウト情報に変更される（ステップＳ３２９）。例えば、画像表示欄２４３ｂのレイアウト情報が、３×３から４×４に変更される等である。
次いで、ＲＡＭ２２に記憶された画像表示位置情報に基づいて医用画像の画像表示位置が変更されて表示される（ステップＳ３３０）。
【００６５】
図１０に、ステップＳ３３０において表示される読影表示画面２４１の一例を示す。図１０に示す例では、画像表示欄２４３ｂのレイアウトが３×３から４×４に変更されて表示されている。配置先イメージボックス２４４の網掛け表示の位置も、画像表示欄２４３ｂの変更に伴い、対応する位置が網掛けで表示される。
【００６６】
一方、端が選択されたと判断されない場合（ステップＳ３２１；ＮＯ）、処理は図６に戻る。
【００６７】
以上のように、本実施の形態における医用画像表示装置２０によれば、読影表示画面２４１に表示された医用画像又はサムネイル画像をマウスで選択する（右クリック等）と、配置先イメージボックス２４４が表示される。配置先イメージボックス２４４に対して、マウス２５ａからの入力により、読影表示画面２４１の画面構成の変更指示（コマや端部をクリック等）がなされると、読影表示画面２４１の画面構成を変更することができるので、読影医は、煩雑なマウス操作を要することなく、読影表示画面２４１の画面構成を変更することができる。つまり、表示部２３がディスプレイが大型化しても、画面構成を変更させるためには、配置先イメージボックス２４４の表示領域に対する操作入力だけで済むので、マウス２５ａの移動量を低減させることができる。
【００６８】
また、配置先イメージボックス２４４のコマを選択（クリック）すると、指定された医用画像を選択された位置に表示させることができるので、サムネイル画像表示欄のサムネイル画像や画像表示欄の医用画像をドラッグアンドドロップさせる場合に比べてマウスの移動量を低減させることができる。指定された医用画像を移動又はコピーや、挿入又は上書き、読影表示画面２４１のレイアウトの変更を指示することによって、読影表示画面２４１上においてマウス２５ａの操作を行う場合に比べてマウスの移動量を低減させることができる。
【００６９】
なお、上述した本実施の形態における記述は、本発明に係る好適な医用画像表示装置の一例であり、これに限定されるものではない。
例えば、配置先イメージボックス２４４に対するマウス２５ａの入力によって、医用画像の表示位置とレイアウトを変更するようにしたが、配置先イメージボックス２４４に対するマウス２５ａの操作に対応した画面構成の変更が行えればよく、本実施の形態の例に限られない。例えば、配置先イメージボックス２４４のあるコマをマウス２５ａでダブルクリックした場合、このコマに対応する医用画像が拡大表示されるようにしてもよい。
【００７０】
また、読影表示画面２４１に表示されるサムネイル画像や医用画像は、サーバ１０に記憶されているようにしたが、医用画像表示装置２０の記憶部２３に記憶されていてもよい。
【００７１】
また、図３に示す例では、サムネイル画像表示欄と画像表示欄をそれぞれ２つずつ示しているが、予め定められた数であればよく、例えば、表示部２４を構成するモニタ数に対応するようにしてもよい。
【００７２】
また、本実施の形態のステップＳ２９において、配置方法設定が記憶部２３に記憶されているようにしたが、予め定められた判断方法によって配置方法設定が判断されればよく、これに限られない。例えば、配置先イメージボックス２４４のコマの中央がクリックされた場合には、ステップＳ２９において上書きと判断され、コマとコマの間がクリックされた場合には、ステップＳ２９において挿入と判断されるようにしてもよい。
【００７３】
また、上記の説明では、本発明に係るプログラムのコンピュータ読み取り可能な媒体としてハードディスクや半導体の不揮発性メモリ等を使用した例を開示したが、この例に限定されない。その他のコンピュータ読み取り可能な媒体として、ＣＤ−ＲＯＭ等の可搬型記録媒体を適用することが可能である。また、本発明に係るプログラムのデータを通信回線を介して提供する媒体として、キャリアウエーブ（搬送波）も適用される。
【００７４】
その他、医用画像表示装置を構成する各装置の細部構成及び細部動作に関しても、本発明の趣旨を逸脱することのない範囲で適宜変更可能である。
【符号の説明】
【００７５】
１  医用画像システム
１０  管理サーバ
２０  医用画像表示装置
Ｎ  ネットワーク
２１  制御部
２２  ＲＡＭ
２３  記憶部
２４  表示部
２４１  読影表示画面
２４２ａ  サムネイル画像表示欄
２４２ｂ  サムネイル画像表示欄
２４３ａ  画像表示欄
２４３ｂ  画像表示欄
２４４  配置先イメージボックス
２５  操作部
２５ａ  マウス
２６  通信部
２７  Ｉ／Ｆ部
２８  ＣＤ／ＤＶＤドライブ
Ｍ  メディア
【図１】
2010200936.tif 000003
【図２】
2010200936.tif 000004
【図３】
2010200936.tif 000005
【図４】
2010200936.tif 000006
【図５】
2010200936.tif 000007
【図６】
2010200936.tif 000008
【図７】
2010200936.tif 000009
【図８】
2010200936.tif 000010
【図９】
2010200936.tif 000011
【図１０】
2010200936.tif 000012